(57)【特許請求の範囲】
【請求項１】
光源からの光によりネガフィルム又はポジフィルムを照射するようにした光源装置において、
光源とフィルムとの間には、少なくともフィルムの種類に対応して光量を調整するための光量調整フィルタを有する回転板が備えられてこの回転板を回転させる調光ユニットと、光源からの光を遮ってフィルムの焼けを防止する遮光板が備えられて、この遮光板を光源の光路中に介在して光源の光を遮る位置と前記光路中から離間する位置とに位置変更させる遮光装置とが設けられて、前記調光ユニットによる回転板の回転制御により、光量調整フィルタを光源の光路中に介在する位置と光路中から離間する位置とに位置変更させると共に、遮光装置の駆動により、遮光板を光源の光路中に介在して光源の光を遮る位置と前記光路中から離間する位置とに位置変更させるようにしていることを特徴とする光源装置。
【請求項２】
光量調整フィルタが、ポジフィルムに対応するフィルタとセットアップ作業に対応するフィルタとから成る請求項１に記載の光源装置。
【発明の詳細な説明】
【０００１】
【発明の属する技術分野】
本発明は、主としてフィルムの画像をスキャニングする際に用いる光源装置に関する。
【０００２】
【従来の技術】
一般にこの種の光源装置を搭載したスキャナーにあっては、機体にランプハウジングとネガマスクとを設けると共に、このランプハウジングとネガマスクとをミラートンネルで接続して成り、ランプハウジング内に設けた光源の光で、ネガマスクにセットしたフィルムを照射すると共に、ネガフィルムを照らした光を、ＣＣＤ（Charge−Coupled Device）によって検出するようにしている。
【０００３】
ところで以上の装置では、読み取るフィルムの種類によっては、その濃度を異にするのであって、具体的には、ネガフィルムの方がポジフィルムよりも濃度が濃い。そのため例えば光源の光量をネガフィルムに合わせて設定した場合、スキャニングするフィルムがポジフィルムである場合には、光源からの光が強すぎて、ＣＣＤによる読取が適正に行えなくなる不具合がある。
【０００４】
そこで従来では、例えばシャッター付きのＣＣＤを用いて、該ＣＣＤのシャッターにより光量を制御するか、若しくは光路中に設けている既存の絞り機構を利用して、この絞り機構の制御により光量の調整を行うようにする方法が提案されている。
【０００５】
【発明が解決しようとする課題】
しかしながら、シャッター付きのＣＣＤは高価であって、この方法を採用した場合には、装置の製造コストが高くなる不具合がある。
【０００６】
一方、ネガフィルムとポジフィルムとの切り換え時に、光量の調整手段として前記した絞り機構を用いた場合には、該絞り機構による各フィルムそれぞれの光量の調整幅が少なくなってしまって、例えばランプやフィルタ、ＣＣＤの経時変化やバラツキの吸収が非常に困難となり、換言すれば、ダイナミックレンジが狭くなる不具合がある。
【０００７】
本発明は以上の実情に鑑みて開発したものであって、目的とするところは、ダイナミックレンジを狭めることなく、光源からの光量を、フィルムの種類に応じて適正に調整することが出来、しかもフィルムを光源から保護することの出来る光源装置を提供するにある。
【０００８】
【課題を解決するための手段】
以上の目的を達成するために、請求項１記載の発明は、光源からの光によりネガフィルム又はポジフィルムを照射するようにした光源装置において、光源とフィルムとの間には、少なくともフィルムの種類に対応して光量を調整するための光量調整フィルタを有する回転板が備えられてこの回転板を回転させる調光ユニットと、光源からの光を遮ってフィルムの焼けを防止する遮光板が備えられて、この遮光板を光源の光路中に介在して光源の光を遮る位置と前記光路中から離間する位置とに位置変更させる遮光装置とが設けられて、前記調光ユニットによる回転板の回転制御により、光量調整フィルタを光源の光路中に介在する位置と光路中から離間する位置とに位置変更させると共に、遮光装置の駆動により、遮光板を光源の光路中に介在して光源の光を遮る位置と前記光路中から離間する位置とに位置変更させるようにしたのである。
【０００９】
また請求項２記載の発明は、請求項１に記載の光源装置において、光量調整フィルタとして、ポジフィルムに対応するフィルタと、セットアップ作業に対応するフィルタとから構成したのである。
【００１０】
【発明の実施の形態】
図１は、本発明にかかる光源装置ＡとスキャナーユニットＢとを搭載した写真処理装置を概略的に示したものであって、光源装置Ａは、ランプハウジング１と該ランプハウジング１に対して着脱可能なコンデンサレンズユニット２とを備え、ランプハウジング１内には、光源３、熱線反射フィルタ４、調光ユニット５、光を均一化させるための第１及び第２フライアイレンズ６ａ・６ｂ、コールドミラー７が設けられている。
【００１１】
熱線反射フィルタ４、第１フライアイレンズ６ａ、調光ユニット５、第２フライアイレンズ６ｂ、コールドミラー７、及びコンデンサレンズユニット２は、光源３と、光源装置Ａの外部の所定位置にネガマスク７０を介して搬送されるネガフィルムＦとを結ぶ光軸上に介在させている。
【００１２】
光源３は、ハロゲンランプ３１と、ヒートシンク３２と、リフレクタ３３とを備えている。
【００１３】
熱線反射フィルタ４は、赤外線を反射させる一方、可視光線を透過させる機能を有しているのであって、具体的には、７８０ｎｍ以上の波長の光を反射させ、７８０ｎｍ未満の波長の光を透過させる機能を備えたフィルタを用いている。
【００１４】
調光ユニット５は、支持フレーム５１と、該支持フレームの一側に回転自由に支持した回転板５２と、回転板５２を回転させるための直流モーター５３とを備え、支持フレーム５１における前記ハロゲンランプ３１の光軸と対応する位置に円形の透孔５１ａを形成すると共に、回転板５２には、その回転中心から放射状に３等分した領域に、円形の第１、第２、第３開口５２ａ・５２ｂ・５２ｃを開設している。
【００１５】
そして第１開口５２ａには、ポジフィルムＦに対応して光量を調整するためのポジ用光量調整フィルタ５４を取り付け、第２開口５２ｂには、セットアップ作業用光量調整フィルタ５５を取り付け、前記モーター５３の駆動制御により、回転板５２を所定角度回転させることで、ハロゲンランプ３１から出射した光が、上記の２種類のフィルタ５４・５５及び第３開口５２ｃのいずれか１つを透過するようにしている。
【００１６】
図に示す実施形態では、ポジ用光量調整フィルタ５４として、透過率が３２％で入射した光を６８％カットするNeutral Density フィルタ（以下、ＮＤフィルタと言う）を用い、また、セットアップ用光量調整フィルタ５５として、透過率が１６％で入射した光の全体の光量を８４％カットするＮＤフィルタを用いている。
【００１７】
以上のＮＤフィルタは、基材であるガラスにフィルタ成分を練り込んでなる耐熱性に優れたものを用いている。
【００１８】
尚、前述のセットアップ作業用光量調整フィルタ５５が使用されるセットアップ作業とは、ハロゲンランプ３１の交換時等において、例えば青、赤、緑の補色であるマゼンタ、イエロー、シアンの各成分の光の光量を調整する作業等を示す。
【００１９】
また回転板５２の外周縁には、図４に示すごとく、第１スリット５６ａと第２スリット５６ｂを周方向に１２０度離間させて開設すると共に、支持フレーム５１における回転板５２の外周縁と対向する位置に、フォトインタラプタから構成される第１センサー５７ａと第２センサー５７ｂを、周方向に１２０度離間させて設け、前記センサー５７ａ・５７ｂによる前記スリット５６ａ・５６ｂの検出により、フィルタ５４・５５及び第３開口５２ｃのいずれか１つを支持フレーム５１の透孔５１ａと対向させる位置で回転板５２を停止させるようにしている。
【００２０】
即ち、図に示す実施形態では、第３開口５２ｃを透孔５１ａに対向させる際には、回転板５２の両スリット５６ａ・５６ｂが両センサー５７ａ・５７ｂのセンシング位置に来て、両センサー５７ａ・５７ｂがオン動作した時点で、モータ５３の駆動を停止させるようにし、またポジ用光量調整フィルタ５４を透孔５１ａに対向させる際には、回転板５２の第２スリット５６ｂが第２センサー５７ｂのセンシング位置に来て、該第２両センサー５７ｂのみがオン動作した時点で、モータ５３の駆動を停止させるようにし、更にセットアップ用光量調整フィルタ５５を透孔５１ａに対向させる際には、回転板５２の第１スリット５６ａが第１センサー５７ａのセンシング位置に来て、第１センサー５７ａのみがオン動作した時点で、モータ５３の駆動を停止させるようにしている。
【００２１】
また図に示す実施形態では、フィルタ５４・５５及び第３開口５２ｃが透孔５１ａと対向する位置で回転板５２を確実に停止させるために、図４に示すごとく、外周面に３つの湾曲状の窪み５８ａを周方向に等間隔に設けた規制体５８を回転板５２の回転中心に固定すると共に、支持フレーム５１に、リンク５８ｂの長さ方向中間部を枢軸５８ｃを介して揺動自由に支持して、該リンク５８ｂの長さ方向一端部に、前記窪み５８ａに嵌合可能なローラ５８ｄを回転自由に支持し、且つ該リンク５８ｂの長さ方向他端部と支持フレーム５１との間に、前記ローラ５８ｄが窪み５８ａに嵌合する方向にリンク５８ｂを揺動付勢させるためのコイルスプリング５８ｅを掛け渡している。
【００２２】
また調光ユニット５には、フイルムＦがハロゲンランプ３１の光により焼けるのを防止するための遮光装置８が設けられている。
【００２３】
この遮光装置８は、図５に示すように、遮光板８１と、該遮光板８１を揺動させるための駆動装置８２とから成り、該駆動装置８２は、ソレノイドへの通電により正転方向に回転する回転軸８３と、該回転軸８３を逆転方向に付勢させるための渦巻きバネ８４とを備えている。
【００２４】
そして前記遮光板８１の長さ方向一端部を前記回転軸８３の軸端部に固定し、駆動装置のソレノイドが非通電状態にある時は、渦巻きバネ８４のばね力により、回転軸８３を逆転（図５において反時計方向）させて、遮光板８１の長さ方向他端部が、図５において実線で示すごとく、支持フレーム４１の透孔５１ａと対向する位置に来るようにし、またソレノイドへの通電に伴い、回転軸８３を渦巻きバネ８４に抗して正転（図５において時計方向）させて、遮光板８１の長さ方向他端部が図５において２点鎖線で示すように、支持フレーム４１の透孔５１ａから離間する位置に来るようにしている。
【００２５】
尚、図中８５は、遮光板８１の揺動範囲を規制するためのピンである。
【００２６】
また図に示す実施形態では、遮光板８１の長さ方向他端部の幅を透孔５１ａの口径よりも小さくして、遮光板８１の長さ方向他端部が透孔５１ａと対向する位置に来た時、該透孔５１ａの周縁部位よりハロゲンランプ３１の光がフィルムＦ側に一部漏れるようにして、この漏れた光で、ネガマスク７０にセットされたフィルムＦを照らして、該フィルムＦの停止位置を確認出来るようにしている。
【００２７】
第１及び第２フライアイレンズ６ａ・６ｂは、透明基板と多数のマイクロレンズとが一体成形された構成の無色透明のものであって、第１フライアイレンズ６ａは、熱線反射フィルタ４と調光ユニット５との間に配置され、第２フライアイレンズ６ｂは、調光ユニット５とコールドミラー７との間に配置されている。
【００２８】
しかして前述のように、２枚の第１および第２フライアイレンズ６ａ・６ｂを光軸方向に連続して配置することで、ハロゲンランプ３１から出射された光の光量ムラを確実に除去することが出来る。
【００２９】
尚、第１フライアイレンズ６ａ及び第２フライアイレンズ６ｂの表面には、熱線反射コーティングを蒸着させた構成としてもよく、このような構成とした場合には、フィルムＦへの熱線の到達をさらに抑えて、フィルム面の温度上昇をさらに抑えることが出来る。
【００３０】
コールドミラー７は、赤外線を透過させる一方、可視光線のみをフィルムＦに向けて反射されるものであって、本実施形態においては、４００〜７８０ｎｍの波長を持つ可視光線のみを反射させるミラーを用いている。従ってハロゲンランプ３１から出射した光は、熱線反射フィルタ４及びコールドミラー７により、その赤外線成分の光が除去されて、フィルムＦの温度上昇が抑えられる。
【００３１】
尚、このコールドミラー７の背面側、即ちコールドミラー７の反射面とは反対側には、反射防止板７１が配置されているのであって、この反射防止板７１におけるコールドミラー７側の表面はホーニング処理と黒アルマイト処理が施されている。これにより、コールドミラー７を透過した赤外線がフィルムＦ方向へ反射するのを防いでいる。
【００３２】
ランプハウジング１には、コールドミラー７からネガフィルムＦへの光の通過部となる開口部が形成されており、この開口部の外側に、コンデンサレンズユニット２が着脱自在に設置されている。
【００３３】
コンデンサレンズユニット２は、レンズホルダー２１と、反射板２２と、コンデンサレンズ２３と、拡散板２４とを備えて成る。
【００３４】
一方、スキャナーユニットＢは、ハウジング９内に、第１及び第２レンズ９１・９２と、これら第１レンズ９１と第２レンズ９２との間に介装された回転ミラー９３と、第２レンズ９２の下流側に位置するプリズム９４と、このプリズム９４で分光された３つの光を電気信号に変換する第１〜第３ＣＣＤ（Charge Coupled Device ）９５・９６・９７とを搭載している。
【００３５】
尚、図中９８は、第２レンズ９２とプリズム９４との間に設けられたシャッタを示す。
【００３６】
斯くして、フィルムＦを透過した光源３からの光は、スキャナーユニットＢに導入されて、第１レンズ９１を通過した後、回転ミラー９３よって反射されて、第２レンズ９２を通ってプリズム９４に入射されるのであって、プリズム９４に入射した光は、該プリズム９４内で同一特性の３つの光に分けられて、青色成分を電気信号に変換する第１ＣＣＤ９５と、赤色成分を電気信号に変換する第２ＣＣＤ９６と、緑色成分を電気信号に変換する第３ＣＣＤ９７とに入射される。そしてこれら各ＣＣＤ９５・９６・９７では、それぞれ青色成分、赤色成分、緑色成分の光量に応じた電気信号が生成される。
【００３７】
次に以上の写真処理装置の作用を説明する。
【００３８】
ハロゲンランプ３１から出射された光は、熱線反射フィルタ４に入射して、該熱線反射フィルタ４で熱線の一部が取り除かれ可視光線が透過される。
【００３９】
熱線反射フィルタ４から出射された光は、第１フライアイレンズ６ａに入射し、光量ムラが除去された後、調光ユニット５及び第２フライアイレンズ６ｂを透過することによって、光量ムラがさらに除去され、コールドミラー７によってネガフィルムＦ方向に反射されるのであって、コールドミラー７によって反射された光は、コンデンサレンズユニット２に入射して、コンデンサレンズ２３及び拡散板２４を透過した後、ネガマスク７０にセットされたフィルムＦに照射される。
【００４０】
そして、フィルムＦを透過した光源３からの光は、スキャナーユニットＢに導入されて、第１レンズ９１を通過した後、回転ミラー９３よって反射されて、第２レンズ９２を通ってプリズム９４に入射されるのであって、プリズム９４に入射した光は、プリズム９４内で同一特性の３つの光に分けられて、第１ＣＣＤ９５と、第２ＣＣＤ９６と、第３ＣＣＤ９７とに入射され、これら各ＣＣＤ９５・９６・９７において、青色成分、赤色成分、緑色成分の光量に応じた電気信号が生成されるのである。
【００４１】
以上の処理作業に際して、ネガマスク７０にネガフィルムがセットされて、ネガフィルムのスキャニングが行われる場合には、オペレータによりネガフィルムのスキャニングモードが選択されるに伴い、モータ５３の駆動により、両センサー５７ａ・５７ｂがオン動作するまで、換言すれば、第３開口５２ｃが透孔５１ａと対応する位置に来るまで回転板５２が回転し、第３開口５２ｃが透孔５１ａと対応する位置に来て両センサー５７ａ・５７ｂがオン動作すると、回転板５２の回転が停止するのであって、この時、ローラー５８ｄが窪み５８ａに弾性的に嵌合して、回転板５２の停止位置がずれることはない。
【００４２】
またネガマスク７０にポジフィルムがセットされて、ポジフィルムのスキャニングが行われる場合には、オペレータによりポジフィルムのスキャニングモードが選択されるに伴い、モータ５３の駆動により、両センサー５７ａ・５７ｂがオン動作するまで、換言すれば、第１開口５２ａのポジ用光量調整フィルタ５４が透孔５１ａと対応する位置に来るまで回転板５２が回転し、第２センサー５７ｂがオン動作すると回転板５２の回転が停止するのであって、この時も、ローラー５８ｄが窪み５８ａに弾性的に嵌合して、回転板５２の停止位置がずれることはなく、またポジフィルムＦのスキャニングに際して、ハロゲンランプ３１の光が、ポジ用光量調整フィルタ５４により所定量（実施形態では６８％）カットされて、第１〜第３ＣＣＤ８５・８６・８７による該ポジフィルムＦのスキャニングに適した光量に調整されるのである。
【００４３】
一方、セットアップ作業が行われる場合には、オペレータによりセットアップモードが選択されるに伴い、モータ５３の駆動により、第１センサー５７ａがオン動作するまで、換言すれば、第２開口５２ｂのセットアップ用光量調整フィルタ５５が透孔５１ａと対応する位置に来るまで回転板５２が回転し、第１センサー５７ａがオン動作すると回転板５２の回転が停止するのであって、この時も、ローラー５８ｄが窪み５８ａに弾性的に嵌合して、回転板５２の停止位置がずれることはなく、またセットアップ作業に際して、ハロゲンランプ３１の光が、セットアップ用光量調整フィルタ５５により所定量（実施形態では８４％）カットされて、セットアップ作業に適した光量に調整されるのである。
【００４４】
斯くして以上の実施形態では、ネガフィルムだけでなくポジフィルムのスキャニング、並びにセットアップ作業を効率良く行うことが出来るのは勿論のこと、ネガフィルムとポジフィルムのスキャニングが同一レベルで行えることから、ハロゲンランプの劣化やＣＣＤ及びフィルタの品質のバラツキは、例えばＣＣＤのゲイン値（読み値に対する掛け算値）により吸収させられるのである。
【００４５】
【発明の効果】
請求項１の発明によれば、光源からの光によりネガフィルム又はポジフィルムを照射するようにした光源装置において、光源とフィルムとの間には、少なくともフィルムの種類に対応して光量を調整するための光量調整フィルタを有する回転板が備えられてこの回転板を回転させる調光ユニットと、光源からの光を遮ってフィルムの焼けを防止する遮光板が備えられて、この遮光板を光源の光路中に介在して光源の光を遮る位置と前記光路中から離間する位置とに位置変更させる遮光装置とが設けられて、前記調光ユニットによる回転板の回転制御により、光量調整フィルタを光源の光路中に介在する位置と光路中から離間する位置とに位置変更させると共に、遮光装置の駆動により、遮光板を光源の光路中に介在して光源の光を遮る位置と前記光路中から離間する位置とに位置変更させるようにしたことにより、調光ユニットによる回転板の回転制御により、例えばネガフィルムだけでなくポジフィルムのスキャニングに際して、ダイナミックレンジを狭めることなく、光源からの光量を適正に調整することが出来るのは勿論のこと、光量調整フィルタの位置変更が簡単且つ効率よく行えるし、しかも遮光装置の駆動により遮光板を光源の光路中に介在する位置に位置変更させるだけで、フィルムが光源の光で焼けるのを確実に防止することが出来る。
【００４６】
また請求項２記載の発明は、請求項１に記載の光源装置において、光量調整フィルタとして、ポジフィルムに対応するフィルタと、セットアップ作業に対応するフィルタとから構成したことにより、請求項１に記載の発明の効果に加え、セットアップ作業においても、光源からの光量を適正に調整することが出来る。
【図面の簡単な説明】
【図１】本発明にかかる光源装置を搭載したスキャナーの構成図。
【図２】本発明にかかる光源装置の一実施形態を示す概略側面図。
【図３】本発明にかかる光源装置の一実施形態を示す概略平面図。
【図４】同、調光ユニットの概略構成を示す説明図。
【図５】同、遮光装置の概略構成を示す説明図。
【符号の説明】
Ｆ     フィルム
３     光源
５３   回転板
５４   ポジ用光量調整フィルタ
５５   セットアップ用光量調整フィルタ
８１   遮光板
【図１】
0003678058.tif 000002
【図２】
0003678058.tif 000003
【図３】
0003678058.tif 000004
【図４】
0003678058.tif 000005
【図５】
0003678058.tif 000006